(57)【要約】【課題】所定の外形形状の容器を単一の工程で成形することができ、外部からのエネルギ供給量の削減と成形コストの削減を図ることのできる容器の成形方法を提供する。【解決手段】容器の外形形状に合わせて形成されたキャビティ１３を有する金型１０を準備し、キャビティ１３に微粒子状の樹脂材料Ｍを充填し、この樹脂材料Ｍの一部に着火して爆発を生じさせ、未着火の樹脂材料Ｍを前記爆発の熱によって溶融させるとともに、爆風によってキャビティ１３の内面に付着させ、キャビティ１３の内面に付着した樹脂材料Ｍを冷却した後、金型１０から取り出すようにした。【選択図】　　　図１
2004066544.tif 000002
【特許請求の範囲】
【請求項１】
容器の外形形状に合わせて形成されたキャビティを有する金型を準備し、
前記キャビティに微粒子状の樹脂材料を充填し、
この樹脂材料の一部に着火して爆発を生じさせ、
未着火の前記樹脂材料を前記爆発の熱によって溶融させるとともに、爆風によって前記キャビティの内面に付着させ、
前記キャビティの内面に付着した前記樹脂材料を冷却した後、前記金型から取り出すこと、
を特徴とする容器の成形方法。
【請求項２】
容器の外形形状に合わせて形成されたキャビティを有する金型を準備し、
前記キャビティに微粒子状の樹脂材料を充填するとともに燃焼体を前記キャビティに供給し、
前記燃焼体で前記樹脂材料を前記キャビティに拡散させ、
点火手段によって、前記キャビティ内の前記燃焼体に着火して爆発を生じさせ、
前記樹脂材料を前記爆発の熱によって溶融させるとともに、爆風によって前記キャビティの内面に付着させ、
前記キャビティの内面に付着した前記樹脂材料を冷却した後、前記金型から取り出すこと、
を特徴とする容器の成形方法。
【請求項３】
前記点火手段が、前記キャビティに挿入された点火プラグであることを特徴とする請求項１又は２に記載の容器の成形方法。
【請求項４】
前記点火手段が、前記キャビティ内の樹脂材料又は燃焼体を加圧する断熱圧縮によるものであることを特徴とする請求項１〜３のいずれかに記載の容器の成形方法。
【請求項５】
前記点火手段を前記キャビティの中央に配置したことを特徴とする請求項１〜３のいずれかに記載の容器の成形方法。
【請求項６】
前記爆発を生じさせる前に、前記金型を回転させ、遠心力によって前記キャビティの内面に前記樹脂材料を付着させることを特徴とする請求項１〜５のいずれかに記載の成形方法。
【請求項７】
前記爆発を生じさせる前に、前記樹脂材料を帯電させることによる静電力によって、前記キャビティの内面に前記樹脂材料を付着させることを特徴とする請求項１〜５に記載に容器の成形方法。
【請求項８】
容器の外形形状に応じて形成されたキャビティを有する金型を準備し、
前記キャビティの内面に微粒子状の樹脂材料を付着させ、
所定のガスを前記キャビティに供給するとともに、加圧手段によって前記キャビティ内の前記ガスを加圧して断熱圧縮し、
この断熱圧縮により生じた熱によって前記樹脂材料を溶融し、
前記キャビティの内面に付着した前記樹脂材料を冷却した後、前記金型から容器を取り出すこと、
を特徴とする容器の成形方法。
【請求項９】
前記樹脂材料を帯電させることによる静電力又は金型を回転させることによる遠心力によって、前記キャビティの内面に前記樹脂材料を付着させることを特徴とする請求項８に記載の容器の成形方法。
【請求項１０】
前記金型を前記樹脂材料の融点よりも低い所定の温度に保持する温度保持手段を設けたことを特徴とする請求項１〜９のいずれかに記載の容器の成形方法。
【請求項１１】
前記キャビティの内面に付着した前記樹脂材料を溶融した後、前記キャビティ内のガスを急激に放出させて断熱膨張を生じさせ、この断熱膨張によって前記樹脂材料の冷却を行うことを特徴とする請求項１〜１０のいずれかに記載の容器の成形方法。
【発明の詳細な説明】
【０００１】
【発明の属する技術分野】
本発明は、樹脂製の容器の成形方法に関し、特に、所定の外形形状を有する容器を簡素な工程で成形することのできる成形方法に関する。
【０００２】
【従来の技術】
近年、飲料品等の内容物を充填した樹脂製の容器として、例えば、ＰＥＴボトルが多用されている。
図７は、容器の成形方法の従来例にかかり、ＰＥＴボトルの成形工程を概略的に示したフローチャートである。
まず、ＰＥＴボトルの樹脂材料（ポリエチレンテレフタレート）を溶融して金型に流し込み、冷却して、中空状の容器（パリソン又はプリフォームと称される）を形成する（ステップＳ１）。
【０００３】
次いで、このプリフォームを加熱し（ステップＳ２）、予めＰＥＴボトルの外形形状（この明細書において、「外形形状」には、単なる形状の他、各部の寸法も含まれるものとする）に合わせて形成されたキャビティを有する金型にセットする（ステップＳ３）。そして、延伸棒でプリフォームを縦方向に延ばし（ステップＳ４）、プリフォームの内部に高圧の空気やガスを吹き込んで、前記金型の内面にプリフォームの外面を押し付ける（ステップＳ５）。
冷却後、前記金型からＰＥＴボトルを取り出し（ステップＳ６）、必要な仕上げ工程等を経て、ＰＥＴボトルの表面に、商品名やメーカー名等を付したラベルをシュリンク成形によって貼付する（ステップＳ７）。
【０００４】
【発明が解決しようとする課題】
ところで、上記した従来のＰＥＴボトルの成形においては、最終的な容器を成形する前段階としてプリフォームを形成する工程が必要となって、容器の成形工程が複雑になり、プリフォームを形成するための設備が必要となって、容器の成形コストを押し上げている。
また、容器を成形するにあたり、樹脂材料を溶融したり、ブローしたりするのに多大なエネルギコストが費やされている。
【０００５】
本発明は、上記の事情にかんがみてなされたもので、所定の外形形状の容器を単一の工程で成形することができ、外部からのエネルギ供給量の削減と成形コストの削減を図ることのできる容器の成形方法を提供しようとするものである。
【０００６】
【課題を解決するための手段】
上記目的の達成を図るため、請求項１に記載の発明は、容器の外形形状に合わせて形成されたキャビティを有する金型を準備し、前記キャビティに微粒子状の樹脂材料を充填し、この樹脂材料の一部に着火して爆発を生じさせ、未着火の前記樹脂材料を前記爆発の熱によって溶融させるとともに、爆風によって前記キャビティの内面に付着させ、前記キャビティの内面に付着した前記樹脂材料を冷却した後、前記金型から取り出す成形方法である。
この方法によれば、微粒子状の樹脂材料の一部に点火して爆発を生じさせることで、未着火の樹脂材料が爆発の熱によって溶融し、キャビティの内面に付着してキャビティの形状に応じた容器が成形される。
請求項２に記載の発明は、容器の外形形状に合わせて形成されたキャビティを有する金型を準備し、前記キャビティに微粒子状の樹脂材料を充填するとともに燃焼体を前記キャビティに供給し、前記燃焼体で前記樹脂材料を前記キャビティに拡散させ、点火手段によって、前記キャビティ内の前記燃焼体に着火して爆発を生じさせ、前記樹脂材料を前記爆発の熱によって溶融させるとともに、爆風によって前記キャビティの内面に付着させ、前記キャビティの内面に付着した前記樹脂材料を冷却した後、前記金型から取り出す成形方法である。
【０００７】
この方法では、例えば、前記燃焼体としてメタンガスやプロパンガス等の可燃性のガス、ガソリンやアルコール等の液体燃料の他、火薬等の薬剤を利用することができる。そして、この燃焼体をキャビティ内に供給し、前記燃焼体に点火して爆発を生じさせることで、爆発時の熱により樹脂材料が溶融し、爆風によって樹脂材料がキャビティの内面に付着して、キャビティの形状に応じた容器が成形される。
【０００８】
このように、本発明では、樹脂材料自体が有している燃焼エネルギを利用して、樹脂材料をキャビティの内面に付着させ、溶融させて所定の外形形状の容器を成形することができる。そのため、エネルギコストを削減することができるほか、容器を成形する工程の一部を削除することが可能になり、容器の成形工程を簡素にすることができる。
【０００９】
前記点火手段としては、請求項３に記載するように、キャビティに挿入された点火プラグであってもよいし、請求項４に記載するように、前記キャビティ内の樹脂材料又は燃焼体を加圧する断熱圧縮によるものであってもよい。
さらに、前記点火手段は、請求項５に記載するように、前記キャビティの中央に配置してもよい。この方法によれば、キャビティの中央で爆発が生じるので、樹脂材料をほぼ均一にキャビティ内で拡散させて均一にキャビティの内面に付着させることができる。
また、請求項６に記載するように、前記爆発を生じさせる前に、前記金型を回転させ、遠心力によって前記キャビティの内面に前記樹脂材料を付着させるようにしてもよい。さらに、請求項７に記載するように、前記爆発を生じさせる前に、前記樹脂材料を帯電させることによる静電力によって、前記キャビティの内面に前記樹脂材料を付着させるようにしてもよい。
このようにすることで、樹脂材料のキャビティの内面への移動・付着をさらに促進することができる。
【００１０】
請求項８に記載の発明は、容器の外形形状に応じて形成されたキャビティを有する金型を準備し、前記キャビティの内面に微粒子状の樹脂材料を付着させ、所定のガスを前記キャビティに供給するとともに、加圧手段によって前記キャビティ内の前記ガスを加圧して断熱圧縮し、この断熱圧縮により生じた熱によって前記樹脂材料を溶融し、前記キャビティの内面に付着した前記樹脂材料を冷却した後、前記金型から容器を取り出す方法である。
この方法によれば、断熱圧縮によって生じる熱により、キャビティの内面に予め付着された樹脂材料を溶融することができる。
前記ガスとしては空気であってもよいが、断熱圧縮の熱によってガスと樹脂材料との混合体に着火・爆発を生じさない又はさせにくいものであるのがよく、窒素や二酸化炭素等の不活性ガスであるとよい。
【００１１】
前記キャビティへの内面への樹脂材料の付着は、請求項９に記載するように、前記樹脂材料を帯電させることによる静電力又は金型の回転による遠心力を利用して行うことができる。
なお、金型には、請求項１０に記載するように、前記金型を前記樹脂材料の融点よりも低い所定の温度に保持する温度保持手段を設けるとよい。
これにより、金型の温度上昇による冷却効率の低下を防止することができるほか、金型によって樹脂材料の冷却を行うことが可能になる。
【００１２】
また、請求項１１に記載するように、前記キャビティの内面に付着した前記樹脂材料を溶融した後、前記キャビティ内のガスを急激に放出させて断熱膨張を生じさせ、この断熱膨張によって前記樹脂材料の冷却を行うようにしてもよい。
このような断熱膨張を利用して樹脂材料の冷却を行うことで、容器成形のサイクルタイムを短縮することができる。
【００１３】
【発明の実施の形態】
以下、図面を参照しながら、本発明にかかる容器の成形方法の好適な実施形態を説明する。
【００１４】
［第一の実施形態］
図１は本発明の第一の実施形態にかかり、容器の成形の手順を説明する概略図である。
容器の成形を行うための金型１０は、固定金型１２と、この固定金型１１に対して進退移動して金型１０の開閉を行う可動金型１１とを有している。
可動金型１１には、容器の外形形状に応じた形状のキャビティ１３が形成されている。また、特に図示はしないが、金型１０の温度を常時一定（例えば、１２０℃）に保持するためのヒータ等の加熱手段又は冷却水路等の冷却手段が、固定金型１２及び可動金型１１に形成されている。
【００１５】
可動金型１１の開口１１ａには、ノズル１５が着脱自在に取り付けられる。このノズル１５は、開口１１ａが形成された可動金型１１の端面に密着するフランジ１５ｂと、このフランジ１５ｂのほぼ中央に形成され、開口１１ａに連通する開口１５ｃと、フランジ１５ｂに取り付けられ、先端がキャビティ１３の内部に挿入される点火プラグ１７と、ノズル１５のガス通路の途中部位に形成された縮径部１５ａの開閉を行うニードル状の弁１６とを有している。このノズル１５は、図示しないガス供給源に接続されて、キャビティ１３内にガスを供給するものである。
なお、キャビティ１３に供給されるガスとしては、微粒子状の樹脂材料Ｍと一定の割合で混合することにより、この混合体に着火性（爆発性）を持たせることができるようするもの、例えば、空気を用いることができる。また、それ自体が着火性を有する可燃性のガス、例えば、メタンガスやプロパンガス等のガス、ガソリンやアルコール等の液体燃料の他、火薬等の薬剤を用いてもよい（以下、このような自己爆発性のものを「燃焼体」と記載する）。
【００１６】
次に、上記構成の金型１０及びノズル１５を使った容器の成形の手順を、図１（ａ）〜（ｃ）及び図２（ａ）〜（ｃ）を参照しながら説明する。
なお、図１及び図２において、粒子状の樹脂材料Ｍを点々状のハッチングで、溶融状態の樹脂材料Ｍを黒の塗りつぶしで示している。
図１（ａ）〜（ｃ）は、キャビティ１３内に樹脂材料Ｍを供給してから爆発を生じさせるまでの過程を示し、図２（ａ）〜（ｃ）は、爆発後に樹脂材料Ｍを冷却して容器Ｐをキャビティ１３から取り出すまでの過程を示している。
【００１７】
図１（ａ）に示すように、キャビティ１３の底部に微粒子状の樹脂材料Ｍを投入し、金型１０を型閉めして、可動金型１１の開口１１ａにノズル１５を取り付ける。
樹脂材料Ｍとしては、容器材料に用いられている任意の材料、例えば、ポリエチレンテレフタレート（ＰＥＴ）、ポリカーボネート又はこれらの共重合体等の熱可塑性ポリエステル、ポリエチレン（ＰＥ）、ポリプロピレン（ＰＰ）又はプロピレンーエチレン共重合体等のポリオレフィン樹脂やナイロン樹脂、アクリロニトリル樹脂等を使用できる。また、樹脂材料Ｍの粒子径は、キャビティ１３内にガスを供給したときに発生するスワール（渦）により、キャビティ１３内のほぼ全体にわたって均一に拡散することができるものであるのがよく、例えば、１μｍ〜５００μｍとするとよい。
【００１８】
次いで、図１（ｂ）に示すように、ノズル１５の弁１６を開き、ノズル１５の開口１５ｃ及び可動金型１１の開口１１ａをとおして、キャビティ１３内にガスを供給する。ガスとして空気を用いる場合は、空気と樹脂材料Ｍとの混合比が、点火プラグ１７の放電によって着火できる値になるように、空気を供給する。なお、この場合、樹脂材料Ｍの量は、成形される容器の外形形状及び肉厚によって決定されるので、この樹脂材料Ｍの量に基づいて、空気の供給量を決定する。
この後、弁１６を閉じて点火プラグ１７に電圧を印加し、点火プラグ１７の端子間に放電を生じさせる。この放電により、キャビティ１３内の樹脂材料Ｍと空気との混合体又は燃焼体に着火し、図１（ｃ）に示すように、樹脂材料Ｍと空気との混合体又は燃焼体が爆発する。そして、この爆発による爆風によって、微粒子状の樹脂材料Ｍがキャビティ１３の内面に押し付けられる。
【００１９】
また、ガスの供給による断熱圧縮作用と前記着火とによって、キャビティ１３内の温度が急激に上昇する。この温度上昇によって、キャビティ１３内の樹脂材料Ｍが溶融し、溶融した樹脂材料Ｍが、図２（ａ）に示すように、キャビティ１３の内面に付着する。
次いで、図２（ｂ）に示すように、ノズル１５を開口１１ａから取り外し、キャビティ１３内の圧力を急激に低下させる。この圧力の急激な低下は、断熱膨張となってキャビティ１３内の温度を急激に低下させる。そして、これにより、樹脂材料Ｍが冷却され、キャビティ１３の内面形状に沿った容器Ｐが成形される。断熱膨張を利用することで、樹脂材料Ｍを短時間で冷却することができるという利点がある。
【００２０】
もちろん、このような断熱膨張を生じさせることなく、金型１０によって樹脂材料Ｍの冷却を行うようにしてもよい。
最後に、図２（ｃ）に示すように、可動金型１１を固定金型１２から離間させて金型１０の型開きを行い、容器Ｐを取り出す。
以上の手順で、容器Ｐの成形が終了する。
【００２１】
［第二の実施形態］
次に、本発明の第二の実施形態を、図３を参照しながら説明する。
上記の第一の実施形態の容器の成形方法では、点火手段として点火プラグ１７を用い、キャビティ１３内にガスを充填して、ガスと樹脂材料Ｍとの混合体に着火するようにしている。
この第二の実施形態では、上記のような点火プラグを用いることなく、気体を断熱状態で圧縮したときに生じる熱によって、キャビティ１３内のガス（気体）と樹脂材料Ｍとの混合体や燃焼体に着火・爆発を生じさせるようにしている。
【００２２】
加圧手段としては、図３に示すような加圧手段２５を用いることができる。この加圧手段２５は、シリンダ状の本体２５ａと、この本体２５ａ内に進退移動自在に設けられ、キャビティ１３内のガスを圧縮するためのピストン２６と、本体２５ａの一端に形成され、可動金型１１に当接するフランジ２５ｂと、このフランジ２５ｂのほぼ中央に形成され、可動金型１１の開口１１ａに連通する開口２５ｃとを有している。
【００２３】
図３は、この第二の実施形態の成形方法を説明する概念図である。図３においては、第一の実施形態と同一部位，同一部材には同一の符号を付し、これらについての詳しい説明は省略する。
この実施形態においても、最初に、キャビティ１３の底部に微粒子状の樹脂材料Ｍを投入しておく。そして、図３（ａ）に示すように、キャビティ１３内の空気と樹脂材料Ｍとの混合体を加圧するための加圧手段２５を、可動金型１１の開口１１ａに取り付ける。
この後、キャビティ１３内に空気を供給するとともに、加圧手段２５のピストン２６を押して、キャビティ１３内のガスと樹脂材料Ｍとの混合体を加圧する。樹脂材料Ｍと空気との混合比は、この加圧による断熱圧縮によって、前記混合体が自然に着火するものでなければならない。
なお、この実施形態においても、メタンガスやプロパンガス等の可燃性のガス、火薬等の薬剤を燃焼体として用いることができる。この場合は、これらのガスや薬剤が着火する程度に加圧すればよい。
【００２４】
前記の断熱圧縮によって、キャビティ１３内の空気と樹脂材料Ｍとの混合体の温度が急激に上昇する。そして、前記混合体の圧力が一定以上になったとき、図３（ｂ）に示すように、前記混合体に着火・爆発が生じて、樹脂材料Ｍがキャビティ１３の内面に押し付けられる。第一の実施形態と同様に、着火・爆発による熱と断熱圧縮とによって、キャビティ１３内の温度が急激に上昇し、キャビティ１３内の樹脂材料Ｍが溶融する。そして、溶融した樹脂材料Ｍが、キャビティ１３の内面に付着して、キャビティ１３の内面形状にしたがった外形形状の容器Ｐが成形される。
この実施形態は、第一の実施形態のような点火プラグ１７，この点火プラグ１７に所定のタイミングで電圧を印加するための制御装置が不要となり、設備及び装置の簡素化を図ることができるという点で有利である。
【００２５】
［第三の実施形態］
次に、図４を参照しながら本発明の第三の実施形態について説明する。
この第三の実施形態では、第一の実施形態と同様に、点火手段によって樹脂材料Ｍと空気との混合体又は燃焼体に着火・爆発を生じさせるものである。ただし、この第四の実施形態では、キャビティ１３のほぼ中央に、点火手段としてのヒータ４５を配置している。
そして、予めヒータ４５に通電した状態で、空気をノズル１５から供給する。ガスと樹脂材料Ｍとの混合比が一定値に達すると、ヒータ４５の部分から着火・爆発が生じる。この着火・爆発は、キャビティ１３のほぼ中央部分で発生するので、樹脂材料Ｍをキャビティ１３の中央からその内面にほぼ均等に付着させ、肉厚の均等な容器Ｐを得ることができるようになる。
なお、この実施形態においても、燃焼体として、メタンガスやプロパンガス等の可燃性のガス、火薬等の薬剤を用いることができる。
【００２６】
上記した第一〜第三の実施形態の成形方法によれば、予め多数個の金型１０のキャビティ１３内に樹脂材料Ｍを投入しておき、これら金型１０を順次送りながら、ガスの供給（断熱圧縮）、点火，爆発、ガスの排気（断熱膨張）のサイクルを連続して行うことで、高速で容器Ｐを成形することができるという利点がある。
【００２７】
［第四の実施形態］
次に、図５及び図６を参照しながら、本発明の第四の実施形態について説明する。
なお、図５及び図６において、粒子状の樹脂材料Ｍを点々状のハッチングで、溶融状態の樹脂材料Ｍを黒の塗りつぶしで示している。
図５（ａ）〜（ｃ）は、キャビティ１３内に樹脂材料Ｍを供給してから断熱圧縮を行うまでの過程を示し、図６（ａ）（ｂ）は、樹脂材料Ｍを冷却して容器Ｐをキャビティ１３から取り出すまでの過程を示している。
【００２８】
この第四の実施形態においては、第二の実施形態と同様の加圧手段２５を用いる。ガスとしては、空気であってもよいが、窒素や二酸化炭素等の不活性ガスを用いるのがよい。
また、微粒子状の樹脂材料Ｍを正又は負に帯電させるための帯電手段２４を準備する。この帯電手段２４としては、例えば、公知の高電圧静電装置等を利用することができる。
【００２９】
まず、図５（ａ）に示すように、帯電手段２４を金型１０のキャビティ１１ａの近傍に配置する。そして、この帯電手段２４を通過させることによって、微粒子状の樹脂材料Ｍを正又は負に帯電させる。正又は負に帯電し、キャビティ１３内に投入された樹脂材料Ｍは、その静電力によってキャビティ１３の内面に付着する。なお、このとき、キャビティ１３の内面に均一に樹脂材料Ｍが付着するように、金型１０を、図中矢印で示す方向にゆっくりと回転させ、キャビティ１３の内部に微弱なスワール（渦）を発生させるようにしてもよい。
【００３０】
次いで、図５（ｂ）に示すように、加圧手段２５を金型１０に取り付ける。そして、図５（ｃ）に示すように、キャビティ１３にガスを供給しながら、加圧手段２５のピストン２６を押して、キャビティ１３内のガスと樹脂材料Ｍとの混合体を加圧する。
この加圧による断熱圧縮によって、キャビティ１３内の温度が急激に上昇する。そして、この温度が樹脂材料Ｍの融点を超えたときに、キャビティ１３の内面に付着した樹脂材料Ｍが溶融する。
【００３１】
この後、図６（ａ）に示すように、加圧手段２５を金型１０から取り外し、これにともなうキャビティ１３内の急激な減圧による断熱膨張によって、キャビティ１３の内面に付着した樹脂材料Ｍの冷却が行われる。
このような断熱膨張を利用することで、樹脂材料Ｍを短時間で冷却することができるという利点がある。
【００３２】
もちろん、断熱膨張を生じさせることなく、金型１０によって樹脂材料Ｍの冷却を行うようにしてもよい。
最後に、図６（ｂ）に示すように、可動金型１１を固定金型１２から離間させて金型１０の型開きを行い、容器Ｐを取り出す。
以上の手順で、容器Ｐの成形が終了する。
【００３３】
この第四の実施形態の成形方法によれば、予め多数個の金型１０のキャビティ１３内に樹脂材料Ｍを投入しておき、これら金型１０を順次送りながら、ガスの供給（断熱圧縮）、樹脂材料の溶融、ガスの排気（断熱膨張）のサイクルを連続して行うことで、高速で容器Ｐを成形することができるという利点がある。
【００３４】
本発明の好適な実施形態について説明したが、本発明は上記の実施形態により限定されるものではない。
例えば、本発明の成形方法は、所定の外形形状を有する「容器」であれば適用することが可能で、ＰＥＴボトル等の最終的な容器に限らず、最終的な容器を成形する過程で形成されるプリフォーム等にも適用が可能である。
また、上記の説明では、単一の樹脂材料から容器を成形するものとして説明したが、上記手順を複数回繰り返すことで、複数層の樹脂材料からなる容器を成形することも可能である。
さらに、可動金型１１にキャビティ１３が形成されているものとして説明したが、キャビティ１３は可動金型１１及び固定金型１２の少なくとも一方に形成されていればよい。
【００３５】
また、第一〜第三の実施形態では、一定の混合比で樹脂材料と混合することで着火・爆発を生じさせることができるガスとして空気を例に挙げたが、同様の性質を有するものであれば空気に限らず、他のガスであってもよい。
さらに、第四の実施形態では、予めキャビティ１３の内面に樹脂材料Ｍを付着させる手段として静電力を利用しているが、他の手段、例えば、金型１０を回転させることにより発生する遠心力を利用してもよい。
また、第一〜第三の実施形態においても、金型の回転のほかに静電力を利用してキャビティの内面に樹脂材料を付着させるようにしてもよい。このようにすることで、樹脂材料のキャビティの内面への移動・付着をさらに促進することができる。
【００３６】
【発明の効果】
以上、詳細に説明したように、本発明によれば、樹脂材料自体が有しているエネルギを利用して、所定形状の容器を単一の工程で成形することができるので、エネルギコストを削減することができるほか、工程の削減によって容器の成形工程を簡素にすることができる。
【図面の簡単な説明】
【図１】本発明の第一の実施形態にかかり、容器の成形の手順を説明する概略図である。
【図２】図１に連続する容器の成形の手順を説明する概略図である。
【図３】本発明の第二の実施形態にかかる容器の成形の手順を説明する概略図である。
【図４】本発明の第三の実施形態にかかる容器の成形の手順を説明する概略図である。
【図５】本発明の第四の実施形態にかかり、容器の成形の手順を説明する概略図である。
【図６】図５に連続する容器の成形の手順を説明する概略図である。
【図７】容器の成形方法の従来例にかかり、ＰＥＴボトルの成形工程を概略的に示したフローチャートである。
【符号の説明】
１０　金型
１１　可動金型
１１ａ　開口
１２　固定金型
１３　キャビティ
１５　ノズル
１５ａ　縮径部
１５ｂ　フランジ
１６　弁
１７　点火プラグ（点火手段）
２４　帯電手段
２５　加圧手段
２６　ピストン
４７　ヒータ（点火手段）
Ｍ　樹脂材料
【図１】
2004066544.tif 000003
【図２】
2004066544.tif 000004
【図３】
2004066544.tif 000005
【図４】
2004066544.tif 000006
【図５】
2004066544.tif 000007
【図６】
2004066544.tif 000008
【図７】
2004066544.tif 000009